【手続補正書】
【提出日】平成16年11月5日(2004.11.5)
【手続補正１】
【補正対象書類名】特許請求の範囲
【補正対象項目名】全文
【補正方法】変更
【補正の内容】
【特許請求の範囲】
【請求項１】
第１ホイール（４；２４；３４；４４；５４；６４；７４；８４；９４；１０４；１１４）および第２ホイール（８；２８；３８；１０８）を有するギヤー（１；４６）であって、
−第１ホイール（４；２４；３４；４４；５４；６４；７４；８４；９４；１０４；１１４）が少なくとも部分的に湾曲したピッチ面（５；２６；３３；４３；５３；６３；７３；８３；９３；１０３）を有するギヤーホイールであり、このピッチ面が少なくとも１個の歯（７；２７；３７；４７；５７；６７；７７；８７；９７；１０７）を有する歯システムを備え、歯が螺旋歯曲線（６ａ、６ｂ、６ｃ）を備えており、かつ
−第２ホイール（８；２８；３８；１０８）は筒状ピッチ面（９；２６；３９）を有するシリンダーホイールであり、ピッチ面は外歯を備え、この外歯は少なくとも３個の歯を包含しかつ螺旋歯（１０；２５；３５；４０）を形成し、この螺旋歯は左フランク（１１；４１）および凸右フランク（１２；４２）を持ち、左フランク（１１；４１）は凸右フランク（１２；４２）に対して並行には走っていない、ギヤー。
【請求項２】
請求項１によるギヤー（１；４６；４９）であって、
第１ホイール（４；２４；３４；４４；５４；６４；７４；８４；９４；１０４；１１４）がトーラスホイールでありかつ螺旋歯曲線（６ａ、６ｂ、６ｃ）がアルキメデス螺旋として設計されており、その座標原点（３０）が第１ホイール（４；２４；３４；４４；５４；６４；７４；８４；９４；１０４；１１４）のホイール軸（２）上にある、ギヤー。
【請求項３】
請求項１によるギヤー（１；４６；４９）であって、第１ホイール（４；２４；３４；４４；５４；６４；７４；８４；９４；１０４；１１４）が２個またはそれより多い歯を有する複数ねじ付きトーラスであり、ピッチ面（５；２６；３３；４３；５３；６３；７３；８３；９３；１０３）上の歯の歯曲線（６ａ、６ｂ、６ｃ）が螺旋として設計されており、それらの共有座標原点（３０）が第１ホイール（４；２４；３４；４４；５４；６４；７４；８４；９４；１０４；１１４）のホイール軸（２）上にあり、共有原点（３０）から外方へ見て歯曲線（６ａ、６ｂ、６ｃ）の間隔寸法が好ましくは均一とされている、ギヤー。
【請求項４】
請求項１または２によるギヤー（１；４６；４９）であって、螺旋歯曲線（６ａ、６ｂ、６ｃ）が１個またはそれより多くの領域で理論形状（３１）から偏倚し、従って歯曲線（６ａ、６ｂ、６ｃ）がそこに平坦部（１４）を備えている、ギヤー。
【請求項５】
請求項１ないし４の何れかによるギヤー（１；４６；４９）であって、
−第１ホイール（４；２４；３４；４４；５４；６４；７４；８４；９４；１０４；１１４）が隣接歯（７；２７；３７；４７；５７；６７；７７；８７；９７；１０７）との間に間隙（１７）を持ち、その幅は第２ホイール（８；２８；３８）の隣接歯（１０；２５；３５；４０）の間の間隙（１８）の幅より異なるように選択されており、かつ／または
−第１ホイール（４；２４；３４；４４；５４；６４；７４；８４；９４；１０４；１
４）の歯（７；２７；３７；４７；５７；６７；７７；８７；９７；１０７）の厚さ（１９）は第２ホイール（８；２８；３８）の歯（１０；２５；３５；４０）の厚さ（２０）より異なるように選択されている、ギヤー。
【請求項６】
請求項１ないし５の何れかによるギヤー（１；４６；４９）であって、第１ホイール（４；２４；３４；４４；５４；６４；７４；８４；９４；１０４；１１４）の歯（７；２７；３７；４７；５７；６７；７７；８７；９７；１０７）および／または第２ホイール（８；２８；３８；１０８）の歯（１０；２５；３５；４０）が任意のフランクプロフィール（２１ａ、２１ｂ、２２ａ、２２ｂ）を備えることができる、ギヤー。
【請求項７】
請求項１ないし６の何れかによるギヤー（１；４６；４９）であって、筒状ピッチ面（９；２６；３９）が第２ホイール（８；２８；３８；１０８）のホイール軸（３）に対して同心に配置されている、ギヤー。
【請求項８】
請求項１ないし７の何れかによるギヤー（１；４６；４９）であって、湾曲ピッチ面（５；２６；３３；４３；５３；６３；７３；８３；９３；１０３）が少なくとも一区域において凹状または凸状として具体化されている、ギヤー。
【請求項９】
請求項１ないし７の何れかによるギヤー（１；４６；４９）であって、湾曲ピッチ面（５；２６；３３；４３；５３；６３；７３；８３；９３；１０３）が少なくとも一区域においてトロイド状または球状として具体化されている、ギヤー。
【請求項１０】
請求項８または９によるギヤー（１；４６；４９）であって、区域が
−トロイド状区域、
−球状区域、
−トロイド状セグメント、または
−球状セグメントであり、
かつ区域が第１ホイール（４；２４；３４；４４；５４；６４；７４；８４；９４；１０４；１１４）のホイール軸（２）に対して同心である、ギヤー。
【請求項１１】
ギヤー装置（１；４６；４９）内に装着されるためのギヤーホイール（４；２４；３４；４４；５４；６４；７４；８４；９４；１０４；１１４）であって、その中でギヤーホイール（４；２４；３４；４４；５４；６４；７４；８４；９４；１０４；１１４）がシリンダーホイール（８；２８；３８；１０８）とでギヤー対を形成し、かつ
−ギヤーホイール（４；２４；３４；４４；５４；６４；７４；８４；９４；１０４；１１４）が少なくとも部分的に湾曲ピッチ面（５；２６；３３；４３；５３；６３；７３；８３；９３；１０３）を持ち、
−少なくとも１個の歯（７；２７；３７；４７；５７；６７；７７；８７；９７；１０７）を部分的に湾曲したピッチ面（５；２６；３３；４３；５３；６３；７３；８３；９３；１０３）上に有する歯システムが設けてあり、
−歯（７；２７；３７；４７；５７；６７；７７；８７；９７；１０７）が螺旋歯曲線（６ａ、６ｂ、６ｃ）を持ち、この曲線が１またはそれより多い領域内で理論形状（３１）から偏倚して歯曲線（６ａ、６ｂ、６ｃ）が平坦部（１４）を備え、かつ
−ギヤーホイール（４；２４；３４；４４；５４；６４；７４；８４；９４；１０４；１１４）がギヤー対内に装着されてギヤーホイール（４；２４；３４；４４；５４；６４；７４；８４；９４；１０４；１１４）の軸（２）がシリンダーホイール（８；２８；３８；１０８）のホイール軸（３）に関連して限定された位置を走るようにされている、ギヤーホイール。
【請求項１２】
請求項１１によるギヤーホイール（４；２４；３４；４４；５４；６４；７４；８４；９４；１０４；１１４）であって、
ギヤーホイール（４；２４；３４；４４；５４；６４；７４；８４；９４；１０４；１１４）がトーラスホイールでありかつ螺旋歯曲線（６ａ、６ｂ、６ｃ）がアルキメデス螺旋として設計されており、その座標原点（３０）がギヤーホイール（４；２４；３４；４４；５４；６４；７４；８４；９４；１０４；１１４）のホイール軸（２）上にある、ギヤーホイール。
【請求項１３】
請求項１１によるギヤーホイール（４；２４；３４；４４；５４；６４；７４；８４；９４；１０４；１１４）であって、
ギヤーホイール（４；２４；３４；４４；５４；６４；７４；８４；９４；１０４；１１４）が２個またはそれより多い歯を有する複数ねじ付きトーラスであり、ピッチ面（５；２６；３３；４３；５３；６３；７３；８３；９３；１０３）上の歯の歯曲線（６ａ、６ｂ、６ｃ）が螺旋として設計されており、それらの共有座標原点（３０）がギヤーホイール（４；２４；３４；４４；５４；６４；７４；８４；９４；１０４；１１４）のホイール軸（２）上にあり、共有原点（３０）から外方へ見て歯曲線（６ａ、６ｂ、６ｃ）の間隔寸法が好ましくは均一とされている、ギヤーホイール。
【請求項１４】
請求項１１ないし１３の何れかによるギヤーホイール（４；２４；３４；４４；５４；６４；７４；８４；９４；１０４；１１４）であって、
ギヤーホイール（４；２４；３４；４４；５４；６４；７４；８４；９４；１０４；１１４）の歯（７；２７；３７；４７；５７；６７；７７；８７；９７；１０７）が任意のフランクプロフィール（２１）を備えることができる、ギヤーホイール。
【請求項１５】
請求項１１ないし１４の何れかによるギヤーホイール（４；２４；３４；４４；５４；６４；７４；８４；９４；１０４；１１４）であって、
隣接歯（７；２７；３７；４７；５７；６７；７７；８７；９７；１０７）の間の間隙（１７）の幅が歯（７；２７；３７；４７；５７；６７；７７；８７；９７；１０７）の厚さ（１９）に対応していない、ギヤーホイール。
【請求項１６】
請求項１１ないし１５の何れかによるギヤーホイール（４；２４；３４；４４；５４；６４；７４；８４；９４；１０４；１１４）であって、
湾曲ピッチ面（５；２６；３３；４３；５３；６３；７３；８３；９３；１０３）が少なくとも一区域において凹状または凸状として具体化されている、ギヤーホイール。
【請求項１７】
請求項１１ないし１５の何れかによるギヤーホイール（４；２４；３４；４４；５４；６４；７４；８４；９４；１０４；１１４）であって、
湾曲ピッチ面（５；２６；３３；４３；５３；６３；７３；８３；９３；１０３）が少なくとも一区域においてトロイド状または球状として具体化されている、ギヤーホイール。
【請求項１８】
請求項１６または１７によるギヤーホイール（４；２４；３４；４４；５４；６４；７４；８４；９４；１０４；１１４）であって、区域が
−トロイド状区域、
−球状区域、
−トロイド状セグメント、または
−球状セグメントであり、
これがギヤーホイール（４；２４；３４；４４；５４；６４；７４；８４；９４；１０４；１１４）のホイール軸（２）に対して同心である、ギヤーホイール。